(57)【要約】【課題】現場での施工性を向上させるとともに、外観上目立たず、幅広い音域の暗騒音を再生可能な間仕切りシステム及び間仕切りシステムを備えた住宅を提供する。【解決手段】間仕切りシステム１００は、天井側に固定された上レール１と、床側に固定された下レール２と、上レール１に上端部が係止されるとともに、下レール２に下端部が支持された間仕切りパネル３と、を備え、間仕切りパネル３は、四方枠状に形成された枠体３０と、枠体３０の両面にそれぞれ設けられた表面材３９と、表面材３９の枠体３０側の面に設けられ、振動することにより、表面材３９を振動させて音を発生させる振動子を有する振動スピーカ４０と、を有することを特徴とする。【選択図】図２
2017223008.tif 000002
【特許請求の範囲】
【請求項１】
天井側に固定された上レールと、
床側に固定された下レールと、
前記上レールに上端部が係止されるとともに、前記下レールに下端部が支持された間仕切りパネルと、を備え、
該間仕切りパネルは、
四方枠状に形成された枠体と、
該枠体の両面にそれぞれ設けられた表面材と、
前記表面材の前記枠体側の面に設けられ、振動することにより、前記表面材を振動させて音を発生させる振動子を有する振動スピーカと、を有することを特徴とする間仕切りシステム。
【請求項２】
前記振動子は、磁力により伸縮する超磁歪素子であることを特徴とする請求項１に記載の間仕切りシステム。
【請求項３】
前記振動子は、コイル及び磁石により構成され、電力により振動を発生させる素子であることを特徴とする請求項１に記載の間仕切りシステム。
【請求項４】
請求項１から３のいずれか一項に記載の間仕切りシステムと、
前記天井及び前記床の少なくともいずれか一方に設置されたスピーカと、を備えることを特徴とする住宅。
【発明の詳細な説明】
【技術分野】
【０００１】
本発明は、間仕切りシステム及び間仕切りシステムを備えた住宅に関するものである。
【背景技術】
【０００２】
従来から、マンション等の集合住宅や戸建住宅等では、空間を区画する間仕切り壁が設置されている。このような間仕切り壁として、軽量鉄骨等で構成された鋼製下地に、石膏ボード等のボード材が固定され、さらにクロスなどの内装仕上げ材を貼ったものが広く知られている（下記特許文献１参照）。
【０００３】
また、近年、室内の高い静謐性が求められるため、外部の交通騒音等が適切に遮断される防音サッシ等が使用され、静かな室内の音環境が提供される傾向にある。その一方で、集合住宅のように生活時間帯や年齢層が異なる多様な住民が、一つの建物内に生活している場合には、他の住戸からの床衝撃音等の各種騒音や、給排水・電気設備系の騒音が、静かな環境では気になり不快に感じることがある。
【０００４】
また、室内が静か過ぎると、気分が滅入ってしまう場合があり、人に快適感を与えるような暗騒音をスピーカから送出させる暗騒音発生装置が提案されている（下記特許文献２参照）。
【先行技術文献】
【特許文献】
【０００５】
【特許文献１】特開２００９−１４４３５０号公報
【特許文献２】特開平３−８５８９７号公報
【発明の概要】
【発明が解決しようとする課題】
【０００６】
しかしながら、上記の特許文献１に記載された間仕切り壁では、軽量鉄骨を組み立てて鋼製下地を設置して、鋼製下地にボード材を固定するため、現場施工に時間を要するとともに、作業員等により施工精度に差が生じるという問題点がある。
また、上記の特許文献２に記載された暗騒音発生装置を単に室内に設置すると、目立ってしまい外観上好ましくない。また、スピーカの構成によっては低周波数の音を再生することが難しく、聴感上違和感を感じにくい幅広い音域を再生することが難しい。
【０００７】
そこで、本発明は、上記事情に鑑みてなされたものであり、現場での施工性を向上させるとともに、外観上目立たず、幅広い音域の暗騒音を再生可能な間仕切りシステム及び間仕切りシステムを備えた住宅を提供する。
【課題を解決するための手段】
【０００８】
上記目的を達成するために、本発明は以下の手段を採用している。
すなわち、本発明に係る間仕切りシステムは、天井側に固定された上レールと、床側に固定された下レールと、前記上レールに上端部が係止されるとともに、前記下レールに下端部が支持された間仕切りパネルと、を備え、該間仕切りパネルは、四方枠状に形成された枠体と、該枠体の両面にそれぞれ設けられた表面材と、前記表面材の前記枠体側の面に設けられ、振動することにより、前記表面材を振動させて音を発生させる振動子を有する振動スピーカと、を有することを特徴とする。
【０００９】
このように構成された間仕切りシステムでは、施工現場で、天井側に上レールを固定し、床側に下レールを固定する。予め工場等で間仕切りパネルを製造しておけば、間仕切りパネルを運搬してきて、間仕切りパネルの上端部を上レールに係止させ、下端部を下レールに支持させることで、間仕切りパネルが天井と床との間に設置される。よって、施工現場において、軽量鉄骨等で間仕切りの鋼製下地を組み立てる工事が省略され施工時間を短縮できるとともに、工場で製造された間仕切りパネルを使用することで施工精度を確保することができるため、現場での施工性が向上される。
また、振動スピーカは間仕切りパネルの表面材における枠体側の面に設けられているため、振動スピーカは目立たず、室内空間の視角的品質を向上させることができる。
また、振動スピーカが表面材に設けられることで、表面材の面全体が振動面となる。よって、大きな振動面が確保されるため、低い周波数の暗騒音を再生することができ、幅広い音域の暗騒音を再生して、周囲の生活音や騒音をマスキングして、快適な音環境を提供することができる。
【００１０】
また、本発明に係る間仕切りシステムでは、前記振動子は、磁力により伸縮する超磁歪素子であることが好ましい。
【００１１】
このように構成された間仕切りシステムでは、振動子は磁力により伸縮する超磁歪素子であるため、振動スピーカを小型化することができるとともに、パワーのある音の再生が可能である。
【００１２】
また、本発明に係る間仕切りシステムでは、前記振動子は、コイル及び磁石により構成され、電力により振動を発生させる素子であってもよい。
【００１３】
このように構成された間仕切りシステムでは、振動子はコイル及び磁石により構成され、電力により振動を発生させる素子であるため、振動スピーカを小型化することができる。
【００１４】
また、本発明に係る住宅は、上記のいずれか一に記載の間仕切りシステムと、前記天井及び前記床の少なくともいずれか一方に設置されたスピーカと、を備えることを特徴とする。
【００１５】
このように構成された住宅では、間仕切りパネルに振動スピーカが設けられるとともに、天井及び床の少なくともいずれか一方にもスピーカが設置されているため、音の発生方向（スピーカの位置）を認識しにくく、自然な暗騒音を再生することができる。
【発明の効果】
【００１６】
本発明に係る間仕切りシステム及び間仕切りシステムを備えた住宅によれば、現場での施工性を向上させるとともに、外観上目立たず、幅広い音域の暗騒音を再生することができる。
【図面の簡単な説明】
【００１７】
【図１】本発明の一実施形態に係る間仕切りシステムの正面図である。
【図２】図１のＡ−Ａ断面図である。
【発明を実施するための形態】
【００１８】
本発明の一実施形態に係る間仕切りシステムを備えた住宅について、図面を用いて説明する。
図１は、本発明の一実施形態に係る間仕切りシステムの正面図である。図２は、図１のＡ−Ａ断面図である。
図１及び図２に示すように、壁システム（間仕切りシステム）１００は、例えば、マンションやアパート等の集合住宅に設置され、隣接する居室等の空間Ｐ１，Ｐ２を仕切るものである。なお、壁システム１００は、戸建等の一般の住宅等にも設置可能である。
【００１９】
壁システム１００は、上レール１と、下レール２と、隣接配置された複数の間仕切りパネル３と、を備えている。
【００２０】
上レール１は、天井側に設けられ、複数の間仕切りパネル３の上側に連続して配置されている。
【００２１】
上レール１は、天井面Ｄに沿って配置され断面視矩形状に形成された上部取付部１１と、上部取付部１１の下面１１Ｂに設けられ断面視矩形状に形成された上部レール部１２と、を有している。
【００２２】
上部取付部１１及び上部レール部１２は、例えば木材や鋼材等で構成されている。上部レール部１２は、接着や不図示の固定具により上部取付部１１に固定されている。
【００２３】
上部取付部１１は、ビス等の固定具１１Ｘで天井面Ｄに固定されている。
なお、上部レール部１２の下側から、上部取付部１１を貫通するように、ビス等の固定具（不図示）で、上レール１が天井面Ｄに固定される構成であってもよい。
【００２４】
本実施形態では、上部取付部１１の断面寸法は、例えば幅５０ｍｍ、高さ６０ｍｍとされている。なお、上部取付部１１の下面１１Ｂに凹部（不図示。以下同じ。）が設けられ、断面視矩形状の上部レール部が当該凹部に嵌め込まれて、上部レール部が上部取付部１１の下面１１Ｂから下方に突出するように設けられていてもよい。
【００２５】
下レール２は、床側に設けられ、複数の間仕切りパネル３の下側に連続して配置されている。
【００２６】
下レール２は、床面Ｆに沿って配置され断面視矩形状に形成された下部支持部２１と、下部支持部２１の上面２１Ｕに設けられ断面視矩形状に形成された下部レール部２２と、を有している。下部支持部２１及び下部レール部２２は、例えば木材や鋼材等で構成されている。
【００２７】
下レール２は、下部レール部２２の上からビス等の固定具２２Ｘで、下部支持部２１を貫通して床面Ｆに固定されている。
【００２８】
本実施形態では、下部支持部２１の断面寸法は、例えば幅５０ｍｍ、高さ３５ｍｍとされている。なお、下部支持部２１の上面２１Ｕに凹部（不図示。以下同じ。）が設けられ、断面視矩形状の下部レール部が当該凹部に嵌め込まれて、下部レール部が下部支持部２１の上面２１Ｕから上方に突出するように設けられていてもよい。
【００２９】
間仕切りパネル３は、板状に形成されている。間仕切りパネル３は、四方枠状に形成された四方枠（枠体）３０と、四方枠３０の両面に設けられた表面材３９と、一方の表面材３９に設けられた振動スピーカ４０と、を有している。本実施形態では、間仕切りパネル３の寸法は、例えば幅８５０ｍｍ、高さ２４１５ｍｍ、厚さ６０ｍｍとされている。
【００３０】
四方枠３０は、上桟３１と、下桟３４と、上桟３１の端部と下桟３４の端部とを鉛直方向に連結する不図示の縦桟と、を有している。
【００３１】
上桟３１は、断面視矩形状に形成され、上面３１Ｕには下方に凹む上部凹溝３２が形成されている。上部凹溝３２は、上桟３１の延在方向に沿って形成されている。
【００３２】
上部凹溝３２には、上レール１の上部レール部１２が嵌め込まれている。上桟３１の上面３１Ｕと上部取付部１１の下面１１Ｂとの間には、隙間３１Ｓが形成されている。
【００３３】
下桟３４は、断面視矩形状に形成され、下面３４Ｂには上方に凹む下部凹溝３５が形成されている。下部凹溝３５は、下桟３４の延在方向に沿って形成されている。
【００３４】
下部凹溝３５の下面には、不図示の滑り材３６が設けられている。滑り材３６は、下桟３４の延在方向に離間して複数設けられている。下部凹溝３５には下レール２の下部レール部２２が嵌め込まれ、滑り材３６が下部レール部２２の上面に当接している。
【００３５】
表面材３９は、化粧が施された板材であり、例えばオレフィンシートが貼られた化粧版を採用することができる。
【００３６】
振動スピーカ４０は、一方の表面材３９における四方枠３０側の面に設けられている。振動スピーカ４０は、表面材３９に接着剤や両面テープ等により固定されている。
【００３７】
振動スピーカ４０は、磁力により伸縮する超磁歪素子にコイルを巻き付けて構成されている。
【００３８】
また、振動スピーカ４０は、表面材３９の正面視における中心に設けられていることが好ましい。
また、本実施形態では、一対の表面材３９のうち一方の表面材３９にのみ振動スピーカ４０が設けられているが、一対の表面材３９の両方に設けられていてもよい。
【００３９】
振動スピーカ４０には信号線４１の一端が接続され、信号線４１の他端は間仕切りパネル３の下端部に設けられてコネクタパネル４２に接続されている。コネクタパネル４２には、レシーバー４３、アンプ４４が電気的に接続されている。
なお、振動スピーカ４０に接続された信号線４１は、間仕切りパネル３が設置される箇所の床（または天井）を貫通して、床下（または天井上）空間を通り、所望の箇所に設置されたレシーバー４３、アンプ４４と接続される構成であってもよい。
【００４０】
空間Ｐ１の所望の箇所に設置された送信装置（不図示）から、水が流れる音等の自然音、各種環境音、音楽等の音声信号が送信され、当該音声信号をレシーバー４３が受信して、アンプ４４が増幅した音声信号を振動スピーカ４０に出力する。振動スピーカ４０では、コイルに音声信号を流されて、信号に対応した磁界が発生し、超磁歪素子が伸縮する。この超磁歪素子は表面材３９に接触されているため、表面材３９自体が振動板になる。そして、振動スピーカ４０が固定された表面材３９側の空間Ｐ１に向かって、音を再生させることが可能である。再生される音は、水が流れる音等の自然音、各種環境音、音楽等適宜選択可能である。
【００４１】
また、天井の天井パネルＤ１の上面及び床の床パネルＦ１の下面にそれぞれ振動スピーカ４０が設置されていてもよい。
【００４２】
次に、上記の壁システム１００の施工方法について説明する。
まず、予め、工場等で、間仕切りパネル３の表面材３９に振動スピーカ４０と取り付けておき、振動スピーカ４０に信号線４１を接続して、信号線４１の下端部にコネクタパネル４２を接続しておく。
また、天井パネルＤ１の上面及び床の床パネルＦ１の下面にそれぞれ振動スピーカ４０が設置しておく。
【００４３】
次に、上レール１を天井面Ｄに固定具１１Ｘで固定し、下レール２を床面Ｆに固定具２２Ｘで固定する。
【００４４】
次に、上レール１及び下レール２の延在方向の端部側に、間仕切りパネル３を配置する。間仕切りパネル３の上部凹溝３２及び下部凹溝３５に、それぞれ上レール１の上部レール部１２及び下レール２の下部レール部２２を嵌め込み、上レール１及び下レール２に沿って、間仕切りパネル３を所定の位置までスライドさせる。この際に、間仕切りパネル３の下端部には滑り材３６が設けられているため、スライドさせやすい。このようにして、間仕切りパネル３は設置される。
【００４５】
なお、間仕切りパネル３の上面３１Ｕと上レール１の上部取付部１１の下面１１Ｂとの間の隙間３１Ｓの高さが十分にある場合には、間仕切りパネル３の上部凹溝３２に上レール１の上部レール部１２を嵌め込み、間仕切りパネル３を上方に持ち上げた後に、下部凹溝３５に下部レール部２２を嵌め込んで下方に移動させて、間仕切りパネル３を上レール１に係止及び下レール２に支持させてもよい。
【００４６】
次に、間仕切りパネル３の空間Ｐ１側に露出しているコネクタパネル４２に、レシーバー４３及びアンプ４４を電気的に接続して、完成する。
【００４７】
このように構成された壁システム１００では、施工現場で、天井面Ｄに上レール１を固定し、床面Ｆに下レール２を固定する。予め工場等で振動スピーカ４０が設けられた間仕切りパネル３を製造しておけば、間仕切りパネル３を運搬してきて、間仕切りパネル３の上桟３１の上部凹溝３２を上レール１に嵌合して、下桟３４の下部凹溝３５を下レール２に嵌合させれば、間仕切りパネル３が天井と床との間に設置される。よって、施工現場において、軽量鉄骨等で間仕切りの鋼製下地を組み立てる工事が省略され施工時間が短縮できるとともに、工場で製造された間仕切りパネル３を使用することで施工精度を確保することができるため、現場での施工性が向上される。
【００４８】
また、振動スピーカ４０は間仕切りパネル３の表面材３９における四方枠３０側の面に設けられている。よって、振動スピーカ４０は空間Ｐ２側に露出せず、空間Ｐ２側から見えないため、意匠性の良い室内空間を構成することができる。
【００４９】
また、振動スピーカ４０が表面材３９に設けられることで、表面材３９の面全体が振動面となる。よって、大きな振動面が確保されるため、低い周波数の暗騒音を再生することができ、幅広い音域を再生して、周囲の生活音や騒音をマスキングして、快適な音環境を提供することができる。
【００５０】
また、振動スピーカ４０の振動子は磁力により伸縮する超磁歪素子であるため、振動スピーカ４０を小型化することができるとともに、パワーのある音の再生が可能である。
【００５１】
また、間仕切りパネル３、天井パネルＤ１及び床パネルＦ１に振動スピーカ４０が設置されているため、音の発生方向（スピーカの位置）を認識しにくく、自然な暗騒音を再生することができる。
【００５２】
また、音声信号が例えば４チャンネルで録音されていれば、その音源を４チャンネルで再生することで、より自然で違和感がない音環境を提供することができる。
【００５３】
また、再生する音は、繰り返しのない自然音とすることで、暗騒音を上昇させるとともに、居住者のリラクゼーション効果を狙うことができる。その一方で、居住者の好みの音楽等の再生も可能である。
【００５４】
また、室内空間に振動スピーカ４０が設けられた間仕切りパネル３は２箇所以上に設置されていていることが好ましい。また、振動スピーカ４０は、ステレオ音源の信号を再生可能であることが好ましい。
【００５５】
なお、本発明に係る壁システム１００は、上述した一実施形態に限定されるものではなく、本発明の要旨を逸脱しない範囲で適宜の変更や置換等が可能である。
【００５６】
例えば、振動スピーカは、コイル及び磁石により構成され、電力により振動を発生させる素子構成されていてもよい。この場合も、振動スピーカを小型化することができる。
【００５７】
また、上記に示す実施形態では、コネクタパネル４２は間仕切りパネル３の下端部に設けられているが、本発明はこれに限られず、間仕切りパネル３の上端部等に設けられていてもよい。
【００５８】
また、上記に示す実施形態では、間仕切りパネル３、天井及び床に、振動スピーカ４０が設置されているが、本発明はこれに限られない。振動スピーカ４０は少なくとも間仕切りパネル３に設置されていれば、天井及び床には設置されていなくてもよい。また、天井及び床に設置されるスピーカは、振動スピーカ４０に限られず、適宜選択可能である。
【符号の説明】
【００５９】
１…上レール
２…下レール
３…間仕切りパネル
３０…四方枠（枠体）
３１…上桟
３１Ｓ…隙間
３２…上部凹溝
３４…下桟
３５…下部凹溝
３９…表面材
４０…振動スピーカ
４３…レシーバー
４４…アンプ
１００…壁システム（間仕切りシステム）
Ｃ…天井面
Ｆ…床面
Ｐ１，Ｐ２…空間
【図１】
2017223008.tif 000003
【図２】
2017223008.tif 000004